(57)【特許請求の範囲】
【請求項１】
遊技の演出に用いられるとともに、遊技者が押圧操作可能な押釦スイッチ装置を備えた遊技機において、
前記押釦スイッチ装置は、原点位置から所定方向に向けて移動可能に設けられた押釦本体と、
前記押釦本体を前記原点位置側に向けて前記所定方向の逆方向に付勢する付勢手段と、
前記押釦本体を前記所定方向に沿う中心軸周りに回転させるための回転駆動手段と、
前記回転駆動手段による回転駆動力を前記押釦本体に伝動する歯車と、
前記歯車を回転自在に支持するとともに、前記歯車の所定方向への移動を規制する回転支持部とを備え、
前記歯車と前記押釦本体とのうちの一方に前記所定方向に沿って延在する被係合部が設けられ、他方に前記被係合部に前記所定方向に沿って移動自在に係合する係合部が設けられ、
前記押釦本体が前記所定方向に移動した場合に、前記被係合部に対して前記係合部が相対的に前記所定方向に移動することで係合が外れ、前記歯車が回転した場合に、前記被係合部への前記係合部の係合に基づいて前記押釦本体が回転することを特徴とする遊技機。
【請求項２】
前記被係合部として、前記押釦本体または前記歯車に前記所定方向に沿う溝またはスリットが設けられ、
前記係合部として、前記歯車または前記押釦本体に前記溝またはスリットに挿入された状態に係止される係止片が設けられていることを特徴とする請求項１に記載の遊技機。
【発明の詳細な説明】
【技術分野】
【０００１】
本発明は、遊技者に操作させて演出に利用する押釦スイッチ装置を備えた遊技機に関する。
【背景技術】
【０００２】
パチンコ遊技機等の遊技機においては、演出用の液晶ディスプレイを備え、この液晶ディスプレイに各種演出表示を行わせるものが知られている。また、この演出表示にかかわる押釦スイッチ装置が、遊技者に操作可能に設けられている遊技機が知られている。
この押釦スイッチ装置は、予め設定された演出表示の際に、操作が有効な期間（以下、有効な状態、有効な場合、等）と無効な期間とがあり、操作が有効とされ、操作が有効な状態において、押釦スイッチ装置を操作した場合と、操作しない場合とで演出表示の内容が変わるようになっている。
【０００３】
すなわち、押釦スイッチ装置の操作が有効な状態で、押釦スイッチ装置を操作した場合にだけ表示される押釦用演出表示が用意されており、押釦スイッチ装置を操作することにより、この押釦用演出表示を遊技者が見ることが可能になる。
【０００４】
また、押釦スイッチ装置における押釦（被押圧操作部材）は、光が透過可能に設けられているとともに、押圧部分の背面側にＬＥＤ等の発光素子を備える発光装置が設けられており、例えば、押釦スイッチ装置の操作が有効な場合に、発光装置を点灯させ、操作が無効な場合に、発光装置を消灯するようになっている。なお、透明や半透明の樹脂部材を裏側から発光装置で照明した場合に、樹脂部材が発光しているように見せることも可能であり、例えば、押釦が光っているように見せることもできる。
【０００５】
この際に、例えば、押釦スイッチ装置の操作が有効になっている場合の方が、押釦スイッチ装置の操作が無効になっている場合よりも、例えば、液晶ディスプレイに表示される変動表示ゲームがリーチになる可能性が高かったり、大当たりになる可能性が高かったりするような設定になっている場合がある。
【０００６】
このような設定は、変動表示ゲームがリーチや大当たりになる場合の押釦スイッチ装置の操作が有効になる割合と、変動表示ゲームがリーチにならずにはずれになる場合の押釦スイッチ装置の操作が有効になる割合とを調節することにより行われる。
すなわち、押釦スイッチ装置は、例えば、その操作が有効な状態や無効な状態を示す発光装置を用いて予告演出を行うことが可能になっている。
【０００７】
そこで、押釦スイッチ装置をより積極的に遊技演出に利用することが提案されており、例えば、押釦スイッチの周囲にドーナッツ状の回転部材を設け、この回転部材を発光装置で背面側から照明可能としたものが提案されている。すなわち、上述の予告演出等として、単に押釦を光らせるのではなく、押釦の周囲の回転部材を発光装置で発光させるとともにモータで回転させるようになっている（例えば、特許文献１参照）。
【０００８】
押釦スイッチ装置を、予告演出等の遊技の演出に用いる上で、発光装置による光だけではなく、回転という動きを与えることで、演出効果を高めることが可能になる。また、押釦スイッチ装置の押釦は、例えば、パチンコ遊技機の賞球を貯める上皿やその周辺に配置され、かつ、遊技者が容易に触れる位置にある。したがって、例えば、ガラス扉の内側で動きによる遊技演出を行う可動役物に比較して、遊技者が触れることができる押釦スイッチ装置に回転部材を設けて動きと光による演出を行った場合に、より臨場感のある演出になる。
【先行技術文献】
【特許文献】
【０００９】
【特許文献１】特開２０１１−１７７３９４号公報
【発明の概要】
【発明が解決しようとする課題】
【００１０】
ところで、遊技機には、遊技領域を視認可能にするガラス扉のガラスや、賞球を貯留する上皿および下皿や、遊技球を借りる操作を行うための操作盤や、遊技球を発射するための操作ハンドル等があるため、押釦スイッチ装置の押釦が配置されるスペースを大きく確保することが困難であり、押釦が配置されるスペースは限られたものとなる。したがって押釦の周囲に演出用の回転部材を配置する場合に、押釦の大きさ（径）が小さくなってしまい、押釦の操作性や、押釦自体の照明による演出効果が犠牲になる虞がある。
【００１１】
そこで、押釦の周囲の部材ではなく、押釦を回転させることにより、押釦の演出効果を高めることが考えられる。しかし、押釦は、押す操作に対応して略上下に移動可能にされているので、押釦を回転駆動する例えばモータと、回転する押釦との間の伝動機構が煩雑になる可能性がある。
【００１２】
例えば、遊技者の操作により押釦がその軸方向に沿って移動するのに対して、押釦を軸回りに回転駆動するために、押釦の周囲に従動歯車を設け、この従動歯車にモータで回転駆動される駆動歯車を噛み合わせて、伝動機構を設けた場合に、押釦は、従動歯車と一体に回転する必要がある。この場合に、押釦と従動歯車を一体に設けると、押釦の押圧操作による移動により、従動歯車が軸方向に移動することになる。この場合に、押釦が押される度に、従動歯車と駆動歯車の噛み合いが外れる虞がある。また、押釦の押圧操作が解除されると、押釦は、復帰用のばねにより元の位置に戻ろうとするが、この際に、従動歯車と駆動歯車がうまく噛み合わない場合に、従動歯車が元の位置に復帰せず、押釦を回転させられない状態になる。
【００１３】
本発明は、前記事情に鑑みて為されたもので、押圧操作される押釦を演出効果の向上のために回転可能にする場合に、押釦が押圧方向に移動した後に復帰した際に、確実に押釦を回転駆動できる押釦スイッチ装置を備える遊技機を提供することを得的とする。
【課題を解決するための手段】
【００１４】
前記課題を解決するために、本発明の遊技機は、遊技の演出に用いられるとともに、遊技者が押圧操作可能な押釦スイッチ装置を備えた遊技機において、
前記押釦スイッチ装置は、原点位置から所定方向に向けて移動可能に設けられた押釦本体と、
前記押釦本体を前記原点位置側に向けて前記所定方向の逆方向に付勢する付勢手段と、
前記押釦本体を前記所定方向に沿う中心軸周りに回転させるための回転駆動手段と、
前記回転駆動手段による回転駆動力を前記押釦本体に伝動する歯車を備え、
前記歯車を回転自在に支持するとともに、前記歯車の所定方向への移動を規制する回転支持部とを備え、
前記歯車と前記押釦本体とのうちの一方に前記所定方向に沿って延在する被係合部が設けられ、他方に前記被係合部に前記所定方向に沿って移動自在に係合する係合部が設けられ、
前記押釦本体が前記所定方向に移動した場合に、前記被係合部に対して前記係合部が相対的に前記所定方向に移動することで係合が外れ、前記歯車が回転した場合に、前記被係合部への前記係合部の係合に基づいて前記押釦本体が回転することを特徴とする。
【００１５】
前記被係合部として、前記押釦本体または前記歯車に前記所定方向に沿う溝またはスリットが設けられ、
前記係合部として、前記歯車または前記押釦本体に前記溝またはスリットに挿入された状態に係止される係止片が設けられていることが好ましい。
【発明の効果】
【００１６】
本発明によれば、押釦スイッチ装置が、遊技者に押圧操作されて原点位置から所定方向に移動する押釦本体を備える。この押釦本体は、その周囲に従動歯車が押釦本体と一体に回転可能に配置されている。また、押釦本体が押圧操作により所定方向に移動するのに対して、従動歯車は、従動歯車を回転自在に支持する回転支持部により、所定方向への移動が規制されている。
【００１７】
また、押釦本体と従動歯車とには、従動歯車に対して、押釦本体を周方向に移動不可とし、軸方向（所定方向）に移動自在にするように、押釦本体または従動歯車のいずれか一方の部材に所定方向に延在する被係合部が設けられ、残りの他方の部材に、被係合部に所定方向に移動自在に係合する係合部が設けられている。
【００１８】
これにより、押釦スイッチ装置が押圧操作されていない状態では、押釦本体と従動歯車が一体に回転可能な状態となり、駆動側歯車が回転することにより、この駆動側歯車に噛合する従動歯車が回転する。そして、従動歯車と一体に押釦本体が回転することになる。
【００１９】
この場合に押釦本体が押圧操作されると、押釦本体は、被係合部に対して係合部が所定方向に移動自在に係合していることにより、所定方向に移動するが、回転支持部に支持された従動歯車は所定方向に移動しない。
【００２０】
したがって、押釦本体が押圧操作により所定方向に移動しても、従動歯車は、所定方向に移動せず、駆動側歯車と噛み合った状態が維持される。これにより、押釦本体が押圧操作により所定方向に移動しても、従動歯車と駆動側歯車との噛み合わせが外れるようなことがなく、押釦本体の押圧操作時を除いて、いつでも押釦本体を回転駆動することができる。
【００２１】
被係合部は、例えば、所定方向に沿って延在する溝やスリットを用いることができ、係合部は、これら所定方向に沿って延在する溝やスリットに係合し、溝やスリットの長手方向に移動自在に係合する係止片を用いることができる。なお、溝やスリットとして幅の広いものを用いてもよく、この場合に係止片の幅が溝やスリットの幅と略同等（少しだけ幅が狭いもの）となっている必要がある。
【００２２】
以上のことから、押釦本体を確実に回転可能な構成として、演出効果を高めることができる。
【図面の簡単な説明】
【００２３】
【図１】本発明の実施の形態に係る遊技機を示す斜視図である。
【図２】ガラス扉を開放し、前面枠を少し開放した前記遊技機を示す斜視図である。
【図３】前記遊技機の押釦スイッチ装置を示す平面図である。
【図４】前記押釦スイッチ装置を示す側面図である。
【図５】前記押釦スイッチ装置を示す側面図である。
【図６】図３のＡ−Ａ線矢視断面図である。
【図７】図３のＢ−Ｂ線矢視断面図である。
【図８】図３のＣ−Ｃ線矢視断面図である。
【図９】前記押釦スイッチ装置を示す分解斜視図である。
【発明を実施するための形態】
【００２４】
本発明の実施の形態について図面を参照して説明する。
図１〜図２に示すように、パチンコ遊技機は、遊技店の島設備に設置される縦長の矩形状の機枠１と、機枠１に扉状に開閉自在に取り付けられた前面枠２と、前面枠２に収納された遊技盤３（図２に図示）と、前面枠２の前面に扉状に開閉自在に取り付けられ、中央に大きく開口部４ａが形成されたガラス扉４とを備える。
【００２５】
機枠１は、パチンコ遊技機のベースとなる部分であり、島設備のパチンコ遊技機設置位置に、固定される。
前面枠２は、機枠１に対して、左側側縁部が回動自在に取り付けられており、機枠１を島設備に設置した状態で、裏面側のメンテナンス等が可能になっている。前面枠２内部には、遊技盤３が収納されて固定されているとともに、遊技盤３の前面に設けられる遊技領域３ａに遊技球を発射する発射装置や、賞球としての遊技球の払出装置等が設けられている。
【００２６】
遊技盤３は、その前面側に遊技球が流下するとともに、遊技球が入賞可能な入賞口や、入賞しなかった遊技球を排出する排出口等が設けられた上述の遊技領域３ａを備える。また、裏面側には、入賞口や排出口に流入した遊技球を島設備側に排出する排出球経路や、上述の賞球の払出装置に島設備側から遊技球を供給する経路や、各種制御装置が設けられている。
【００２７】
ガラス扉４は、上述の遊技盤３の遊技領域３ａに対応する大きさの開口部４ａが設けられ、当該開口部４ａにガラスユニット５が嵌め込まれて着脱自在に取り付けられている。ガラスユニット５は、間に間隔をあけて二重に配置されたガラス板（２枚の透明板）を備える。
【００２８】
ガラス扉４の開口部４ａより下側には、払い出された遊技球（賞球）が流入するとともに、遊技球を本遊技機の遊技球発射装置に投入可能で、かつ、当該遊技球発射装置に遊技球を供給可能に貯留する上皿６および上皿６から溢れる遊技球を収容する下皿７と、前記ガラス扉４の上皿６および下皿７の図１中、向かって右側に設けられる発射操作ハンドル８とを備える。ガラス扉４の上皿６の向かって右側には、遊技者が貸球の払出操作等を行うための操作部９が設けられている。また、上皿６の略中央には、遊技者の操作に基づく遊技の演出を可能にする演出用ボタンとしての押釦スイッチ装置１０が設けられている。また、ガラス扉４には、スピーカ１１や、演出用のランプ（ＬＥＤ）等が備えられている。なお、上述のスピーカ１１に加えて機枠１に設けられた幕板にもスピーカ１２が備えられている。
【００２９】
押釦スイッチ装置１０は、図３から図９に示すように、遊技機本体に取り付けられて固定される固定部材１４と、固定部材１４の底部に取り付けられ、複数のＬＥＤ素子１３が実装された光照射手段としてのＬＥＤ実装基板１５と、後述の押釦２０の被押圧操作部材（押釦本体）１６を回転させるための回転駆動装置１７と、回転駆動装置１７の駆動軸１８に取り付けられる駆動歯車（駆動側歯車）１９と、後述の押釦２０のベース部材２１を付勢するコイルばね（付勢手段）２２と、このコイルばね２２に付勢された状態で遊技者の押圧操作により原点位置から所定方向に移動可能なベース部材２１と、前記駆動歯車１９に噛み合うとともに、後述の被押圧操作部材１６を回転させる従動歯車２３と、前記ＬＥＤ実装基板１５のＬＥＤ素子１３に光を照射された際に、光の透過、光の反射等の光学的機能を発現する光学部材２４と、遊技者側に露出して遊技者に押圧操作される押下部材２５と、押釦スイッチ装置１０の露出部分の周囲を構成し、押下部材２５の主要部を除いて、押釦スイッチ装置１０の他の部材をカバーするカバー２６と、被押圧操作部材１６が回転する際に、上下動する可動演出部材２７とを備える。
【００３０】
また、押釦スイッチ装置１０には、ＬＥＤ実装基板１５の外周から突出する部分に光電スイッチ（スイッチ）２８が設けられている。
前記被押圧操作部材（押釦本体）１６は、押下部材２５と、押下部材２５に一体に固定された光学部材２４とを備えている。また、押釦２０は、ベース部材２１とベース部材２１とは別体とされた上述の被押圧操作部材１６とを備えている。
また、回転駆動装置１７と駆動歯車１９と従動歯車２３とから被押圧操作部材１６を回転させる回転駆動手段が構成されている。また、駆動歯車１９と従動歯車２３とから伝動機構としての歯車列が構成されている。
【００３１】
前記固定部材１４は、この固定部材の外周部を構成する筒状外壁部３０と、筒状外壁部３０の内側に筒状外壁部３０と同軸上に設けられて筒状内壁部３１と、筒状内壁部３１の内側に筒状外壁部３０および筒状内壁部３１と同軸上に設けられた中央筒部３２と、筒状外壁部３０の上端部の周囲に鍔状に設けられたフランジ部３３と、フランジ部３３を一部切り欠いた状態で筒状外壁部３０から半径方向外側に突出するように設けられた駆動装置取付部３４と、筒状外壁部３０の底側に設けられ、ＬＥＤ実装基板１５のＬＥＤ素子１３の光を固定部材１４の下端部から上方に照射可能とする開口部３５を備えた底板部３６とを備える。
【００３２】
筒状外壁部３０、筒状内壁部３１および中央筒部３２は、略円筒状に形成されている。
また、筒状内壁部３１には、周方向に等間隔に４つの開口部３８が設けられている。
これらの開口部３８の上側になる筒状内壁部３１の上側縁部は、ベース部材２１の後述の係止片４０が係止されて、ベース部材２１をコイルばね２２の付勢力に抗してベース部材２１を原点位置に保持する規制部（規制部材）３９とされている。
【００３３】
中央筒部３２は、可動演出部材２７の回転を規制しつつ上下動を案内する部材であり、可動演出部材２７の回転を規制するためのスリット４１が設けられている。
底板部３６は、筒状内壁部３１と中央筒部３２との間と、中央筒部３２の内側とにそれぞれＬＥＤ素子１３の光を通す開口部３５が形成されている。また、底板部３６の底面側には、ＬＥＤ実装基板１５を嵌め込む凹部がＬＥＤ実装基板１５の厚さと略同じ深さで形成されている。
【００３４】
コイルばね２２は、その径が筒状内壁部３１より少しだけ小さなものとされ、筒状内壁部３１の内周面に沿って配置される。コイルばね２２の下端は、底板部３６の筒状内壁部３１のすぐ内側の部分に支持されている。また、コイルばね２２の上端は、ベース部材２１の外周面に後述のように形成された段差面４４に当接している。
【００３５】
ベース部材２１は、円筒状に形成されるとともに、上部と下部とで外径および内径が異なり、上部の方が下部より外径および内径が大きくなっている。上部の外径は、固定部材１４の筒状内壁部３１より少しだけ小さくされている。したがって、ベース部材２１の外周面には上部と下部との間に下側を向く段差面４４が形成され、内周面には上部と下部との間に上側を向く段差面４５が形成されている。
【００３６】
ベース部材２１の下側を向く段差面４４と、固定部材１４の筒状内壁部３１の直ぐ内側の底板部３６との間には、コイルばね２２が圧縮した状態で配置されており、コイルばね２２がベース部材２１を上側に付勢した状態となっている。また、コイルばね２２は、ベース部材２１の下部の小径部分の外周面と、筒状内壁部３１の内周面との間に配置されている。
【００３７】
ベース部材２１の上部の大径部分の外周面には、周方向に沿って等間隔に上述の係止片４０が４つ外方に突出する突条として設けられ、筒状内壁部３１の開口部３８内に入り込んだ状態となっている。これにより、コイルばね２２に付勢されているベース部材２１の係止片４０が筒状内壁部３１の開口部３８の上側の側縁部である規制部３９に押しつけられた状態で、それ以上、上への移動が規制されている。なお、この係止片４０が規制部３９に当接している位置をベース部材２１の原点位置とする。
【００３８】
ベース部材２１は、原点位置からコイルばね２２の付勢力に抗して、所定方向（この例では略上下方向、鉛直方向に対して傾いていてもよい）に移動可能となっている。この際にベース部材２１は、その上部の大径部分が筒状内壁部３１の内周面に案内されるようになっている。
したがって、上述の所定方向とは、筒状内壁部３１およびベース部材２１の略軸方向になる。
【００３９】
また、前記係止片４０の周方向に沿った幅は、筒状内壁部３１の開口部３８の周方向に沿った幅と略同じ（少しだけ狭い）となっており、筒状内壁部３１の開口部３８に係止片４０が入り込んだ状態で、筒状内壁部３１に対して係止片４０を備えるベース部材２１の回転が規制されることになる。したがって、ベース部材２１は、その軸回りに回転することができない。また、開口部３８によって、係止片４０を有するベース部材２１の軸方向への移動が案内可能になっている。
【００４０】
ベース部材２１の下端部の上述の光電スイッチ２８の位置には、ベース部材２１一体に上下方向（ベース部材２１の軸方向）沿って移動する光電スイッチ２８の遮蔽板（図示省略）が設けられている。
ここで、光電スイッチ２８では、発光素子と受光素子とが近接して対向配置されている。また、光電スイッチ２８では、上述の発光素子と受光素子との間で遮蔽板（図示省略）が発光素子から受光素子への光の照射を遮る下位置と、遮らない上位置で上下動可能になっている。
この図示を省略した遮蔽板は、上述のようにベース部材２１に設けられて、ベース部材２１と一体に移動するものであり、ベース部材２１が上述の原点位置にある場合に遮蔽板の位置が上位置になっており、原点位置から所定方向に移動した場合に遮蔽板の位置が下位置になる。
このベース部材２１の移動により、光電スイッチ２８がオン・オフすることになる。なお、実際には、光電スイッチ２８の受光素子の出力レベルが閾値以上のハイか、閾値より低いローかで、接点を開閉する制御部が備えられている。
また、ベース部材２１、固定部材１４は、光電スイッチ２８に余計な反射光が入射されないように、例えば、黒等の暗い色にされていることが好ましい。
【００４１】
回転駆動装置１７は、例えば、モータに変速機（減速機）が取り付けられたアクチュエータであり、モータにより駆動される変速機の駆動軸（出力軸）１８が突出して設けられている。この駆動軸１８に駆動歯車１９が取り付けられている。駆動歯車１９は、従動歯車２３より小径で歯数が少ないものとされている。
【００４２】
前記従動歯車２３は、固定部材１４の筒状外壁部３０内径より少しだけ小さな外径を有する円筒部４８と、円筒部４８の上端部の外周に円筒部４８から外側に広がる鍔状に設けられた歯車本体４９とを備える。
【００４３】
円筒部４８は、固定部材１４の筒状外壁部３０と、筒状内壁部３１との間に配置され、筒状内壁部３１の内周面に案内されて回転可能になっている。
歯車本体４９は、図６に示すように駆動歯車１９と噛み合っており、回転駆動装置１７により従動歯車２３が回転駆動される。従動歯車２３の円筒部４８には、円筒部４８の下端側に開放した状態の切欠部（被係合部）５０が周方向に等間隔に４つ設けられている。この切欠部５０には、光学部材２４の突条（係合部）５１が入り込んだ状態となっている。
【００４４】
切欠部５０の周方向に沿った幅に対して突条５１の周方向に沿った幅が少しだけ小さくなっているが、略同様の幅とされている。
これにより、従動歯車２３に対して光学部材２４を上下動可能で（軸方向移動可能）で、かつ回転移動不可（周方向移動不可）としている。言い換えれば、従動歯車２３と光学部材２４とを一体に回転可能にしている。
【００４５】
切欠部５０は、周方向の幅が広いが、この切欠部５０に係合する突条５１の幅が広くされている。また、切欠部５０の上下幅（従動歯車２３の軸方向に沿った幅）に対して突条５１の上下幅（光学部材２４の軸方向に沿った幅）が狭くされている。したがって、切欠部５０は、相対的に突条５１に対して上述の軸方向（所定方向）に長く延在している状態となり、切欠部５０に対して突条５１を所定方向に大きく移動することが可能である。
【００４６】
なお、切欠部５０は、下側が開放せずに閉じた状態の開口であってもよく、また、切欠部５０は、周方向の幅が狭く、軸方向に長く延在するスリット状であってもよい。この場合に、被係合部としてのスリットに係合する突条５１は、周方向の幅が狭い突起（係止片）であってもよい。この場合に、突起が周方向に移動不可で、軸方向に移動自在に係合できるならば、係合部としての突起が係合する被係合部は、スリットでなく溝であってもよい。
【００４７】
光学部材２４は、外周部に設けられる外周筒部５３と、外周筒部５３の上部開口を閉塞するように設けられる蓋部５４と、外周筒部５３の内側に、外周筒部５３と同軸上に設けられる内周筒部５５と、内周筒部５５の内側に、内周筒部５５と同軸上に設けられる支持筒部５６とを備える。
【００４８】
外周筒部５３は、従動歯車２３の円筒部４８と、固定部材１４の筒状内壁部３１との間に配置される。すなわち、外周筒部５３は、円筒部４８の内径より少しだけ小さい外径と、筒状内壁部３１の外径より少しだけ大きな内径を有する円筒状に形成されている。
【００４９】
外周筒部５３には、周方向に沿って等間隔に上述の突条５１が設けられている。
また、外周筒部５３の外周面の上端部には、押下部材２５の後述の抜け止め部材５７の下部内周部に係合する係合突条５８が形成されている。この係合突条５８を介して光学部材２４と、押下部材２５と一体に回転可能に固定するようになっている。
係合突条５８は、外周筒部５３の上端部に周方向に沿って形成されている。また、係合突条５８は、周方向に等間隔に配置され、押下部材２５の４つの抜け止め部材５７に対応している。
【００５０】
蓋部５４は、外周筒部５３と略同径の円板状の部材であり、外周筒部５３の上側を閉塞している。また、蓋部５４の中央部には、支持筒部５６の上端を開放するように、支持筒部５６の内径より少しだけ小さな径の開口部６０が設けられている。
【００５１】
内周筒部５５は、上部が逆円錐台状の筒状に形成され、下部が円筒状に形成されている。
内周筒部５５の下部は、ベース部材２１の内径より小さな外径を有し、ベース部材の内側に配置される。また、内周筒部５５の上部と下部の境界の上部側には、逆円錐台形状の外周面から外側に円環状に突出する円環突条６１が設けられている。
【００５２】
円環突条６１は、軸方向に直交する面である底面と、軸方向と平行な面である外周面とを備えている。また、円環突条６１の外径は、ベース部材２１の上部の大径部分の内径より少しだけ小さな外径を有し、円環突条６１は、ベース部材２１の大径部分の内側で、内周側の段差面４５上に配置される。この際に円環突条６１の下面と、ベース部材２１の段差面４５が当接した状態になっている。
【００５３】
上述のようにベース部材２１は、コイルばね２２に原点位置側に付勢された状態で、軸方向に沿って下側に移動可能となっている。それに対して、被押圧操作部材１６として押下部材２５と一体の光学部材２４が原点位置のベース部材２１上に載った状態に配置される。ここで、遊技者等により押下部材２５が押されると、被押圧操作部材１６の一部としての光学部材２４が押下部材２５と一体に所定方向（上下の下方向、原点位置から軸方向に沿って離れる方向）に移動し、この際に、上述の円環突条６１がベース部材２１の段差面４５を押下し、ベース部材２１が所定方向に移動し、上述のように、光電スイッチ２８において遮蔽部材により発光素子と受光素子との間を遮断する。
【００５４】
支持筒部５６は、その内部に可動演出部材２７がその軸方向に移動自在に配置されている。また、可動演出部材２７の下部の外径に対して上部の外径が小さくされている。支持筒部５６の内径は、可動演出部材２７の大径部分としての下部の外径より少しだけ大きくされている。また、蓋部５４の開口部６０の内径は、可動演出部材２７の下部の外径より小さく、上部の外径より大きくされており、可動演出部材２７の上部が蓋部５４の開口部６０から上に突出可能にされている。
【００５５】
また、支持筒部５６の内周面の下部には、内径が可動演出部材２７の下部の外径より小さくされた駆動部６３が設けられている。すなわち、可動演出部材２７の円筒状の下端部の径と、円筒状の駆動部６３の径が略同じにされている。この駆動部６３の円筒状の上端面の上に可動演出部材２７の円筒状の下端面が略同軸上に配置されて載った状態になっている。駆動部６３は、支持筒部５６の内周面に沿った円筒状の形状を有するとともに、その上端面が軸方向に沿って突出する山と、軸方向に沿って凹んだ谷とが周方向に沿って交互に繰り返す波状にされている。また、可動演出部材２７の下端面が駆動部６３の上端面と同様に周方向に沿って交互に山と谷とが繰り返す波状に形成されている。
【００５６】
この支持筒部５６内の駆動部６３の上端面の形状と、可動演出部材２７の下端面の形状は、上下が逆になっていることを除けば、ほぼ同様の波形状となっている。
すなわち、支持筒部５６内の円筒状の駆動部６３の上端面に設けられた波形状の波長および振幅と、円筒状の可動演出部材２７の下端面に設けられた波形状の波長および振幅とが略同じとされている。また、駆動部６３の波形状における山および谷の数と、可動演出部材２７における山および谷の数とが同じにされている。
【００５７】
駆動部６３の円筒状の上端面に、可動演出部材２７の下端面が載った状態では、支持筒部５６の谷に、可動演出部材２７の山が入り込み、可動演出部材２７の谷に支持筒部５６の山が入り込むことが可能になっている。すなわち、駆動部６３の上端面と可動演出部材２７の下端面とで、山と谷が噛み合うことが可能になっている。また、回転駆動装置１７により光学部材２４が回転するのに対して、可動演出部材２７は、回転不可となるように固定部材１４の中央筒部３２に被せた状態になっている。すなわち、中央筒部３２の軸方向に沿ったスリット４１に可動演出部材２７のリブが挿入されて、可動演出部材２７の回転が規制されている。
【００５８】
したがって、光学部材２４を有する被押圧操作部材１６を回転させた場合に、光学部材２４の支持筒部５６の駆動部６３が回転するのに対して、可動演出部材２７は回転しないことから、駆動部６３の円筒状の上端面では、周方向に沿って山と谷が移動していくのに対して、駆動部６３の円筒状の上端面に載る可動演出部材２７の下端面では、山と谷が周方向に移動せずに、山と谷の周方向の配置が固定された状態となっている。
【００５９】
このような状態では、可動演出部材２７の下端面の例えば下方に突出する山の頂点に対して、駆動部６３の上端面の上方に突出する山と下方に凹む谷が周方向に移動することになる。この場合に、可動演出部材２７の下端面の山の頂点が、例えば、駆動部６３の上端面の谷の底から谷の斜面を登り、さらに山の斜面を登って山の頂点に達し、次いで山の斜面を降り、さらに谷の斜面を降りて再び谷の底に至ることになる。これにより、可動演出部材２７の下端面の山の各頂点が、駆動部６３の上端面の山と谷に沿って上下に移動することを繰り返すことになる。これにより、可動演出部材２７は、被押圧操作部材１６が回転した場合に上下方向（軸方向）に移動することになる。
この際には、ＬＥＤ実装基板１５のＬＥＤ素子１３により、可動演出部材２７に光が照射されて、演出効果を高めるようになっている。
【００６０】
光学部材２４は、例えば半透明の白色の樹脂から形成され、上述の可動演出部材２７が配置される支持筒部５６の部分を除いて、遊技者に対してＬＥＤ実装基板１５のＬＥＤ素子１３を覆って隠した状態になっている。したがって、遊技者は直接ＬＥＤ素子１３を見ることができず、光学部材２４または可動演出部材２７を透過したＬＥＤ素子１３の光を見ることになる。光学部材２４では、例えば、内部の白色顔料の粒子によりＬＥＤ素子１３の光が乱反射しながら透過することになる。光学部材２４の内部で光が乱反射することにより、ＬＥＤ素子１３を直接見られない遊技者には光学部材２４が光っているように見える。
【００６１】
押下部材２５は、光学部材２４の蓋部５４上に上述のように固定されており、光学部材２４を覆った状態で、光学部材２４と一体に軸方向に移動可能にされている。また、押下部材２５は、有色透明の樹脂からなり、遊技者は、上述のように光って見える光学部材２４を押下部材２５を介して見ることになる。
また、押下部材２５の外周には、小さな軸方向に沿う溝が周方向に沿って配列されており、これにより押下部材２５の外周面は小さな凹凸を繰り返す波状に形成され、これらの凹凸がプリズムとして機能し、押下部材２５の外周面を透過する光の方向を変化させ、光による演出効果を高めるようになっている。
したがって、光学部材２４だけではなく、押下部材２５も光学的機能を有するものである。
【００６２】
また、押下部材２５の外周面の下部には、周方向に等間隔に抜け止め部材５７が設けられている。この抜け止め部材５７は、カバー２６に抑えられて押下部材２５が外れるのを防止するとともに、押下部材２５の傾きを防止している。また、抜け止め部材５７は、押下部材２５の移動範囲を規制しており、カバー２６の後述の上面カバー部６６に抜け止め部材５７の上端が接触した原点側位置と、抜け止め部材５７の下端が従動歯車２３の歯車本体４９に接触した光電スイッチ遮蔽位置との間を移動可能になっている。
【００６３】
カバー２６は、押下部材２５の外周をカバーする外周カバー部６８と、駆動歯車１９をカバーする駆動歯車カバー部６９と、押下部材２５の抜け止め部材５７の上面をカバーする上面カバー部６６とを備える。
外周カバー部６８は、抜け止め部材５７の外径より少しだけ大きな外径を有するとともに、固定部材１４のフランジ部３３とほぼ同様の外径を有し、フランジ部３３に外周カバー部６８の下端部の係止爪により、フランジ部３３にカバー２６が取り付けられている。
【００６４】
このような遊技機の押釦スイッチにおいては、押釦２０が、遊技者側に押釦状に露出する押下部材２５と押下部材２５の下に固定されている光学部材２４とからなる被押圧操作部材１６と、光学部材２４の下に設けられるベース部材２１とからなっている。
また、被押圧操作部材１６とベース部材２１とは、互いに固定されておらず、分離されて別体とされている。
【００６５】
また、ベース部材２１は、上述のように付勢手段としてのコイルばね２２により原点位置側に付勢されている。また、ベース部材２１は、その係止片４０が、固定部材１４の筒状内壁部３１の開口部３８内に入り込みコイルばね２２に付勢された状態で、開口部３８の上側縁部である規制部３９に係合することで、原点位置に保持されるようになっている。
【００６６】
また、ベース部材２１には、光電スイッチ２８の発光素子と受光素子との間を遮蔽可能な遮蔽部材が取り付けられており、ベース部材２１がコイルばね２２の付勢力に抗して原点位置から所定方向として、ベース部材２１、筒状内壁部３１、外周筒部５３および内周筒部５５等の筒状の部材の軸方向に沿って、原点位置から離れる方向に移動させられた場合に、光電スイッチ２８において、発光素子から受光素子への光の照射が遮蔽され、受光素子から出力される信号がハイからローに変化し、これに基づいてスイッチの接点が開または閉とされた状態になり、遊技機の内部制御装置に対して押釦スイッチ装置１０で遊技者等により押下操作が行われたことを示す信号が入力することになる。
【００６７】
この場合に、遊技者が、露出している被押圧操作部材１６の押下部材２５を押すことにより、被押圧操作部材１６を介してベース部材を押すことになる。
被押圧操作部材１６の光学部材２４と、ベース部材２１とは、固定されていないが、ベース部材２１の内周において、上部と下部の段差面４５に、光学部材２４の内周筒部５５の逆円錐台状の部分と円筒状の部分との境界部分の逆円錐台部分側に設けられた円環突条６１が当接している。
【００６８】
これにより被押圧操作部材１６が押圧操作されると、円環突条６１の部分がベース部材２１の内周側の段差面４５を押して、ベース部材２１が限定位置から光電スイッチ２８を作動させる位置に移動することになる。また、コイルばね２２の付勢力は、押圧操作されて所定方向に移動した被押圧操作部材１６に作用することになる。原点位置のベース部材２１に載った状態の被押圧操作部材１６が被押圧操作部材１６の原点位置にあるものとすると、原点位置から所定方向に移動した被押圧操作部材１６にコイルばね２２の付勢力がベース部材２１を介して、被押圧創生部材１６に作用し、被押圧操作部材１６を原点位置に復帰させることになる。
【００６９】
また、光学部材２４の外周筒部５３と、従動歯車２３の円筒部４８とは、固定部材１４の筒状外壁部３０と筒状内壁部３１との間のドーナッツ状の空間内で、円筒部４８の内側に外周筒部５３が配置された状態で、回転自在とされている。
【００７０】
また、円筒部４８の切欠部５０に、外周筒部５３の突条が上下動自在（周方向移動不可）に係合することにより、回転駆動装置１７に駆動される駆動歯車１９に噛み合う従動歯車２３が回転駆動装置１７の駆動力により回転した場合に、従動歯車２３の円筒部４８から被押下操作部材１６側の外周筒部５３に回転が伝達され、光学部材２４を含む被押下操作部材１６が回転する。
【００７１】
この際に、遊技者が押釦スイッチ装置１０を操作していない状態では、コイルばね２２に付勢されているベース部材２１は、上述のように原点位置に保持された状態なので、ベース部材２１から被押圧操作部材１６側にコイルばね２２の付勢力が作用せず、被押圧操作部材１６は、ベース部材２１上に載った状態である。したがって、上述のように被押圧操作部材１６が回転した場合に、コイルばね２２の付勢力により、被押圧操作部材１６の回転が妨げられることがなく（付勢力により摩擦力が増大することがなく）、被押圧操作部材１６が操作された際に、被押圧操作部材１６を戻すばねがあっても、被押圧操作部材１６を円滑に回転させることができる。
【００７２】
なお、被押圧操作部材１６の回転中に、遊技者が押圧操作した場合には、遊技者の力で、コイルばね２２に付勢されているベース部材２１にコイルばね２２の付勢方向と逆側に力をかけることになり、被押圧操作部材１６に遊技者の力と、コイルばね２２の力が作用し、被押下操作部材１６の回転が停止することになる。
【００７３】
また、被押圧操作部材１６の回転時には、基本的にＬＥＤ実装基板１５のＬＥＤ素子１３が発光して、光学部材２４に光が照射され、光学部材２４が光の反射と透過により、照射された光の色に光った状態になっている。
また、可動演出部材２７が上述のように上下動した状態となっている。
【００７４】
また、被押圧操作部材１６の突条５１が従動歯車２３の切欠部５０に係合することで、従動歯車２３と一体に、被押圧操作部材１６が回転するが、切欠部５０に対して突条５１が従動歯車２３および被押圧操作部材１６の軸方向に沿って下側に移動可能にされているので、被押圧操作部材１６が遊技者等の押圧操作によりその軸方向に沿って移動しても、従動歯車２３は、その軸方向に移動しない。さらに、従動歯車２３は、その歯車本体４９が、固定部材１４のフランジ部（回転支持部）３３の上に載った状態で回転自在に支持されており、フランジ部３３により、従動歯車２３は、その軸方向に沿った下側への移動が規制されている。したがって、被押圧操作部材１６が、前記軸方向に沿って下側に移動しても、従動歯車２３は下側に移動できない。
【００７５】
したがって、従動歯車２３は、常時駆動歯車１９に噛み合った状態に保持されており、従動歯車２３がその軸方向に沿って移動することにより、駆動歯車１９との噛み合いが外れるようなことがなく、いつでも、駆動歯車１９によって、従動歯車２３を回転させることができる。但し、押圧操作されている場合を除く。
【００７６】
また、光電スイッチ２８の近傍に配置されて、光電スイッチ２８と直接動作させるベース部材２１と、光学部材２４を備える被押圧操作部材１６が別部材となっているので、ベース部材２１と、光学部材２４とをそれぞれ別の色に設定することができる。
この場合に、光学部材２４は、ＬＥＤ素子１３の光を反射したり透過したりするために、白や比較的薄い色、すなわち、白に近い色とされることが好ましい。また、ベース部材は、光電スイッチ２８に余計な反射光が入力しないように、黒や黒に近い色とすることが好ましい。
【００７７】
したがって、例えば、光学部材１４を白とし、ベース部材２１を黒とすることができる。この際に、一部材を二つの色に分けるのではなく、二つの部材をそれぞれ所定の色とするので、コスト的に位置部材を二つの色にするよりコストの低減を図ることができる。
【００７８】
以上のように、この遊技機にあっては、押釦スイッチ装置の押釦を回転する構造としても、押釦を付勢するバネにより、押釦が円滑に回転できなかったり、押釦を回転駆動するための伝動機構の歯車の噛み合いに問題が生じたりすることがなく、押釦をスムーズに回転させることができる。
【００７９】
この場合に、押釦スイッチ装置の操作が有効であることを示す場合に、ＬＥＤ素子１３を発光する場合と、ＬＥＤ素子を発光させるとともに被押圧操作部材１６を回転する場合との二通りの演出が可能になる。したがって、大当たりになる可能性がそれほど高くない場合に、被押下操作部材１６を光らせるだけとし、大当たりになる可能性が高い場合に、被押圧操作部材１６を光らせるだけではなく、回転させることにより、演出効果を高めることができる。また、押釦スイッチ装置の操作の有効、無効に関係なく、演出の一部として、被押圧操作部材１６を回転させるものとしてもよい。
【００８０】
以上、本発明者によってなされた発明を適用した実施の形態について説明したが、この実施の形態による本発明の開示の一部をなす論述および図面により本発明は限定されることはない。すなわち、この実施の形態に基づいて当業者等によりなされる他の実施の形態、実施例および運用技術等は全て本発明の範疇に含まれることは勿論であることを付け加えておく。
【符号の説明】
【００８１】
１０      押釦スイッチ装置
１６      被押圧操作部材（押釦本体）
１７      回転駆動装置（回転駆動手段）
１９      駆動歯車（駆動側歯車、歯車列）
２２      コイルばね（付勢手段）
２３      従動歯車（歯車列）
２４      光学部材
２５      押下部材
３３      フランジ部（回転支持部）
５０      切欠部（被係合部）
５１      突条（係合部）
【図１】
0005917955.tif 000002
【図２】
0005917955.tif 000003
【図３】
0005917955.tif 000004
【図４】
0005917955.tif 000005
【図５】
0005917955.tif 000006
【図６】
0005917955.tif 000007
【図７】
0005917955.tif 000008
【図８】
0005917955.tif 000009
【図９】
0005917955.tif 000010